(57)【要約】【課題】ソフトで着用感が良く、バストサイズの許容範囲が広いカップ部を有する衣類を提供する。【解決手段】肌側の裏カップ部１１ａと表面側の表カップ部１１ｂとは一枚の伸縮性編地を上辺で折り返して形成し、折り返された前記カップ部１１の上辺１１ｃには端縁テープ材を取り付けないと共に縫着せずにワサの状態とし、かつ、前記上辺で折り返されて２枚重ねとなる前記裏カップ部の下辺と前記表カップ部の下辺Ｌ５，Ｌ６とを縫着したことを特徴とする。【選択図】図１
2009120978.tif 000002
【特許請求の範囲】
【請求項１】
肌側の裏カップ部と表面側の表カップ部とは一枚の伸縮性編地を上辺で折り返して形成し、折り返された前記カップ部の上辺には端縁テープ材を取り付けないと共に縫着せずにワサの状態とし、かつ、前記上辺で折り返されて２枚重ねとなる前記裏カップ部の下辺と前記表カップ部の下辺とを縫着したことを特徴とするカップ部を有する衣類。
【請求項２】
左右のカップ部は前記伸縮性編地で個別に形成し、胸部中央位置で前記左右のカップ部の裏カップ部および表カップ部の前端縁を連結し、かつ、前記裏カップ部と表カップ部との脇側端縁は縫着せずにパット装着口として開口し、該開口から裏カップ部と表カップ部に囲まれた中空部にパットを収容可能としている請求項１に記載のカップ部を有する衣類。
【請求項３】
前記各左右のカップ部では、前記折り返された上辺に連続する脇側上縁と、伸縮性編地で形成したバック布の上縁との間にそれぞれ幅広の伸縮性テープからなるストラップを取り付け、かつ、
前記左右のカップ部の下辺と前記バック布との間に、伸縮性素材からなる土台布を取り付け、
全構成素材を伸縮性素材としている請求項１または請求項２に記載のカップ部を有する衣類。
【発明の詳細な説明】
【技術分野】
【０００１】
本発明は、ブラジャー等のカップ部を有する衣類に関し、特に、中高齢者や産前・産後の女性に好適な、締付感の無いソフトなブラジャーとして用いられるものである。
【背景技術】
【０００２】
従来、通常のブラジャーは、バストの下垂を抑制するためバストを下方から保持すると共に、バストの肉が脇側に流れるのを抑制し、美しいバストラインの造形を目的としているため、比較的、圧迫感や締付感がある。
具体的には、カップ材は伸びのない非伸縮性素材あるいは伸びの少ない伸縮性素材等の比較的硬い素材を用い、かつ、バージスラインにワイヤーが封入されると共に、カップ部の上端縁および脇側端縁はバストからしっかりと密着させて浮かさないようにするため、伸縮性ストレッチテープ等で縁取りされている。また、通常のカップ部は、肌側の裏カップ部は肌当たりが良い素材で形成する一方、表面側の表カップ部は伸びのないしっかりとした素材で形成して、これら表裏カップ材の周縁を縫着している。さらに、表カップ部は下カップ側と上カップ側とで分離して縫着することによりカップ部を立体的に膨出させている場合が多い。このように、表裏カップ材を縫着すると共に表カップ側では上下両側部を縫着し、これらの縫着部が伸び止め部分となり、カップ部は前記したバストの保形性の目的からも伸縮性のないものとなっている。
【０００３】
一方、中高齢者はブラジャーに造形性よりもリラックスした着用感を求める場合が多く、前記した一般的なブラジャーではリラックスした着用感が得られにくい。
また、産前・産後の女性はバスト及びアンダーバストのサイズが著しく変化するが、前述した通常のブラジャーはサイズの許容範囲が小さいため着用しにくい。かつ、産後の授乳用のブラジャーではカップ部の開閉を可能としたものがあるが、授乳時にカップ部を開閉する必要があるため手数がかかり、簡単に授乳側のカップ部がずらせることができることが好ましい。これに対して、通常のブラジャーはカップ部の上辺および脇側辺をバストにしっかりと密着させていると共にストラップで吊り上げる構成としているため、授乳時にカップ部をずらせにくく、かつ、上辺および脇側辺の縁取りテープがバストに接触し、肌当たりが悪い問題がある。
【０００４】
従来、締付感が無くサイズの許容範囲を広くして、中高齢者や産前・産後の女性向けとしたブラジャーとして、例えば、特開２００２−３７１４０３号公報（特許文献１）には、産前・産後の女性用のマタニティブラジャーが提案されている。図７に示すように、該マタニティブラジャー１００は、メリヤス生地で形成されたベストタイプであり、ブラジャー主体１０２とアンダーバスト部１０３からなる。アンダーバスト部１０３には弾性ベルト１０４を設けており、体型またはバストのサイズの違いに対応させている。
また、特開平１１−２２９２０５号公報（特許文献２）には、図８に示すように、カップ部１１０の前面上部１１１と背面部１１２とショルダー部１１３にかけてのネック部において、ネック側の縁部１１１Ｌ、１１２Ｌ、１１３Ｌを折り返したブラジャーが開示されている。ネック部を伸縮性の高い布で形成しており、着用者の肩に圧力が集中するのを防いでいる。
【０００５】
しかし、特許文献１においては、メリヤス生地のブラジャー主体の左身頃１０５と右身頃１０６の裏面には、綿生地からなる裏打ち布１０７が取り付けられている。このように、ブラジャー主体と裏打ち布が別素材の場合には、ブラジャー主体の表裏で伸縮性が異なるためブラジャー主体の伸度が制限される。このため、バストサイズが変わってもブラジャー主体の生地が伸びにくく、バストサイズの違いに対応しにくいという問題がある。また、ブラジャーの表裏で伸縮性が異なるために、洗濯時に型崩れが生じやすい場合がある。
また、特許文献２においては、カップ部の前面上部１１１に別途下部１１４のカップ部を縫着してカップ部を形成しており、カップ部の下部に伸縮性が小さい布を用いている場合には、カップ自体の伸縮性は小さくなるという問題がある。
【０００６】
【特許文献１】特開２００２−３７１４０３号公報
【特許文献２】特開平１１−２２９２０５号公報
【発明の開示】
【発明が解決しようとする課題】
【０００７】
本発明は、前記問題に鑑みてなされたもので、肌あたりがよいと共に圧迫感や締付感がなく、ソフトな着用感が得られ、かつ、バストサイズの許容範囲が広く、中高齢者や産前・産後の女性に好適に用いられるカップ部を有する衣類を提供することを課題としている。
【課題を解決するための手段】
【０００８】
前記課題を解決するため、本発明は、肌側の裏カップ部と表面側の表カップ部とは一枚の伸縮性編地を上辺で折り返して形成し、折り返された前記カップ部の上辺には端縁テープ材を取り付けないと共に縫着せずにワサの状態とし、かつ、前記上辺で折り返されて２枚重ねとなる前記裏カップ部の下辺と前記表カップ部の下辺とを縫着したことを特徴とするカップ部を有する衣類を提供している。
【０００９】
前記のように、カップ部は一枚の伸縮性編地を上辺で折り返して形成し、折り返されたカップ部の上辺には端縁テープ材を取り付けず、縫着部を設けない構成としているため、縫着部が肌に当たらず、カップ部の肌あたりを良くすることができる。
また、前記したように、通常のカップ部は表裏カップ材を別素材とすると共に、上下カップ部を別として縫着し、かつ、伸びが殆どない素材で形成しているが、本発明のカップ部は、一枚の伸縮性編地を上辺で折り返してワサとして表カップ部と裏カップ部とを形成し、かつ、伸び止め部となる縫着部を設けていないため、伸縮性編地の伸度がカップ部全体の伸度となり、カップ部の全体を伸びが良いものとすることができる。よって、産前・産後のバストのボリュームが変化する場合であっても、幅広いバストサイズに対応でき、特に、カップ部上辺も伸縮性を有するためバストとのフィット感が良くなる。このように、伸縮性を有するソフトなカップ部であるため、リラックスした着用感を求める中高齢者用としても好適なものとなる。
さらに、裁断工程および縫製工程が少ないため、製造コストを低減することもできる。
【００１０】
前記カップ部の下辺にはワイヤーを取り付けないことが好ましい。
前述したようにカップ部の上辺には縫着部を設けておらず、かつ、カップ部の下辺にはワイヤーを取り付けないことで、ワイヤー及び縫着部が肌に当たらず、カップ部の肌あたりを良くすることができる。
なお、ソフトな着用感が得られる柔らかい樹脂ワイヤーを取り付けてもよい。
【００１１】
前記カップ部を形成する伸縮性編地は、縦横方向に伸びを有することが好ましく、定荷重時伸び率（カットストリップ法）は、１２０〜２２０％程度が好ましい。なお、定荷重時伸び率の計測は、ＪＩＳ  Ｌ  １０１８により行い、試験条件は、試験片の大きさ：幅２．５ｃｍ×長さ２０ｃｍ、つかみ間隔：１０ｃｍ、初荷重：２９ｍＮ、引張速度：１分間当たり、つかみ間隔の１００％の伸張、一定荷重：２２．１Ｎとしている。
また、裏カップ部は肌に接するため、綿糸とポリウレタン糸等の弾性糸との混紡とし、特に、綿糸を５０〜９５％として綿糸の混合比率を高くしたものが好適に用いられる。
【００１２】
前記左右のカップ部は前記伸縮性編地で個別に形成し、胸部中央位置で前記左右のカップ部の裏カップ部および表カップ部の前端縁を連結し、かつ、前記裏カップ部と表カップ部との脇側端縁は縫着せずにパット装着口として開口し、該開口から裏カップ部と表カップ部に囲まれた中空部にパットを収容可能としていることが好ましい。
【００１３】
前記のように、左右のカップ部は個別に形成し、胸部中央位置で連結し、具体的には左右カップ部の胸部中央位置の接合部の裏面側にテープ材を配置し、該テープ材に左右のカップ部の端縁を縫着して連結している。このように、胸部中央に縫着による連結部を設けていることにより、左右のカップ部は左右のバストに当たる位置から位置ずれすることを防止できる。
なお、左右のカップ部を個別に形成せず、一枚の伸縮性編地で形成して、胸部中央位置にダーツを設けたり、テープ材を配置しギャザーを入れて形成してもよい。その場合は、胸部中央位置のダーツやテープ材が伸び止めとなり、左右のカップ部をバストに沿わせることができる。
【００１４】
かつ、左右のカップ部は下辺で縫着すると共に脇側端縁は縫着せず開口とすることで、
裏カップ部と表カップ部とに挟まれた袋状の中空部を設けることができ、該中空部をパット収容部とすることができる。該パッド収容部は脇側の開口からパットを着脱自在に挿入でき、着用者の好みの厚さのパットを簡単に装着することができる。
本発明のカップ部は一枚の伸縮性編地を折り返して形成しているため、伸びは良いが、従来のカップ部と比較して薄くなるため、パットを装着することにより、バストのボリュームアップを図ることができると共に、バストトップ（乳首）の輪郭が外部に表出するのを確実に防止することができる。
なお、左右カップ部の脇側端部を縫着して、パッド収容部の開口を無くしても良い。また、パットを収容しなくてもよい。
【００１５】
前記各左右のカップ部では、前記折り返された上辺に連続する脇側上縁と、伸縮性編地で形成したバック布の上縁との間にそれぞれ幅広の伸縮性テープからなるストラップを取り付け、かつ、
前記左右のカップ部の下辺と前記バック布との間に、伸縮性素材からなる土台布を取り付け、
全構成素材を伸縮性素材としていることが好ましい。
前記ストラップの幅は４ｃｍ〜６ｃｍ程度のストレッチレーステープとすることが好ましい。
【００１６】
前記のように、バック布を伸縮性編地で形成し、かつ、土台布も幅広のストレッチテープ等の伸縮性材で形成すると共にストラップも伸縮性テープとして、全構成素材を伸縮性素材で形成しているため、バスト、アンダーバストおよび背面側のいずれも圧迫せず、かつ、ストラップが肩に食い込むこともないと共に幅広としていることで安定感を与えることができる。
このように、全体的に伸びがよく、リラックス感を与えることができるため、中高年齢者に好適なものとなると共に、バストのボリューム変化にも柔軟に対応できるため、産前・産後用として好適なものとなる。
【００１７】
本発明のカップ部を有する衣類をブラジャーとする場合、全体的に伸縮性を持たせているため、フロント側およびバック側を連続させてステップインブラジャー（被りタイプのブラジャー）としてもスムーズに着用できる。
なお、バック布を分割してホックで連結してもよいし、フロント側の左右のカップ部の間の胸部中央位置でホックで連結するタイプとしてもよい。
また、本発明は、ブラジャーだけでなく、カップ部を有するブラスリップ、ブラキャミソール、ボデイスーツ、ボディセパレート等のインナーウエアとして好適に用いることができる。
【発明の効果】
【００１８】
前述したように、本発明のブラジャー等のカップ部を有する衣類では、カップ部は一枚の伸縮性編地を上辺で折り返して形成し、折り返された前記カップ部の上辺には端縁テープ材を取り付けず、縫着部を設けていないため、カップ部全体を伸びやすくソフトなものとすることができる。特に、カップ部の上辺は折り返しただけのワサとしているため、肌当たりを良くすることができる。
【発明を実施するための最良の形態】
【００１９】
以下、本発明の実施形態を図面を参照して説明する。
図１乃至図３は、本発明の第１実施形態にかかるブラジャー１０を示す。
ブラジャー１０は左右のバストを覆う左右カップ部１１と、左右カップ部１１（１１Ａ、１１Ｂ）の外縁のバージスラインの下端縁及び脇側に沿って配置する土台布１２と、土台布１２の脇側から連続する一枚のバック布１３と、左右ストラップ１４とを備え、所謂、被りタイプのブラジャー１０としている。
【００２０】
前記左カップ部１１Ａ及び右カップ部１１Ｂは、伸縮性編地を個別に且つ左右対称形状に裁断し、各裁断した編地を二つ折して、上辺１１ｃがワサとした表カップ部１１ｂと裏カップ部１１ａとを設けている。左右カップ部１１Ａ、１１Ｂは左右対称の同様な構成としており、以下に右カップ部１１Ｂについて説明する。
【００２１】
図３は裁断した状態の展開図であり、折山線Ａを挟んで肌側となる裏カップ部１１ａと表面側となる表カップ部１１ｂとを設けている。前記折山線Ａの一端側が胸部中央側Ｘとなり、他端側が脇側Ｙとなり、折山線Ａと対向側が下辺側Ｚとなる。
胸部中央側Ｘでは、折山線Ａの一端を下頂点とするＶ形状とし、その一側傾斜辺を表カップ側前辺Ｌ１、他側傾斜辺を裏カップ側前辺Ｌ２としている。
脇側Ｙでは、折山線Ａの他端をはさんで、表カップ側脇側辺Ｌ３、裏カップ側脇辺Ｌ４を設け、表カップ側脇辺Ｌ３を裏カップ側脇辺Ｌ４より図中クロス鎖線で示す部分を突出させている。
前記表カップ側前辺Ｌ１と脇辺Ｌ３の先端間を連続する円弧状の表カップ側下辺Ｌ５を設け、裏カップ側前辺Ｌ２と脇辺Ｌ４の先端間を連続する円弧状の裏カップ側下辺Ｌ６を設けている。これら下辺Ｌ５、Ｌ６はバージスラインに沿うように形成している。
前記表カップ側下辺Ｌ５、裏カップ側下辺Ｌ６にはそれぞれＶ形状の切り込みを入れてダーツ形成辺Ｌ７、Ｌ８を設けている。
【００２２】
前記形状に裁断した右カップ材は、まず、表裏カップ部のダーツ形成辺Ｌ７、Ｌ８の両側端縁をそれぞれ縫着しておき、この状態で、図１および図２に示すように、折山線Ａを支点として二つ折りしている。該折山線Ａを支点とする折目はカップ部の上辺１１ｃとなる。該上辺１１ｃは折り返した状態のままでワサとし、端縁テープ等を取り付けていない。
【００２３】
表裏カップ部１１ａ、１１ｂの下辺Ｌ５、Ｌ６は、前記土台布１２の上辺に形成した左右一対の円弧辺および裏面側に配置したテープ布２１と一体に縫着している。該縫着部はバージスラインに沿うものであり、ワイヤーは封入していない。前記テープ布２１は比較的伸びの少ないものとしている。
【００２４】
表裏カップ部１１ａ、１１ｂの脇辺Ｌ３、Ｌ４は縫着せず、パット２０の装着口１１ｇとして開口している。装着口１１ｇから裏カップ部１１ａと表カップ部１１ｂに囲まれた袋状の中空部Ｓにパット２０を着脱自在に収容できるようにしている。かつ、表カップ側脇辺Ｌ３を裏カップ側脇辺Ｌ４より突出させていることにより、パットの着脱が容易となり、また、パットの装着口１１ｇおよび収容したパッド２０が前面側から見えないようにしている。
【００２５】
左カップ部１１Ａは、前記右カップ部１１Ｂと同様とし、その表裏カップ部の下辺と土台布１２との縫着は、左右カップ部１１Ａと１１Ｂとを同時に連続して行っている。
【００２６】
右カップ部１１Ｂの表裏カップ部１１ａ、１１ｂの前辺Ｌ１、Ｌ２は、左カップ部１１Ａの表裏カップ部１１ａ、１１ｂの前辺Ｌ１、Ｌ２と接合し、かつ、裏面側に配置したテープ布２２の幅方向両側に夫々縫着することにより連結している。該テープ布２２は伸びが無いものとし、その下端を前記土台布１２の上辺に沿って縫着したテープ布２１と縫着している。
【００２７】
前記左右カップ部１１Ａ、１１Ｂを形成する前記伸縮性編地は綿や絹等の天然素材とポリウレタン弾性糸の混紡からなる。綿糸や絹糸等の天然糸の混合比率は２０％以上９５％以下であることが好ましく、５０％以上９５％以下であることがより好ましい。本実施形態では９２％としている。
一般的に天然糸が多いほど肌に優しく、前記左右カップ部の裏カップ部は直接、肌に触れるため、天然糸の混合比率を５０％以上とすることがより好ましい。また、綿混率が９５％より大である場合には、ポリウレタンが含まれる割合が低くなるため編地の伸縮性が低下する。
本実施形態では、伸縮性編地は丸編のベア天竺素材としている。
【００２８】
前記土台布１２は伸縮性に優れた１枚の幅広のストレッチレースで形成して
いる。前記のように、左右カップ部１１Ａ、１１Ｂの下辺Ｌ５、Ｌ６に取り付けると共に、左右カップ部１１Ａ、１１Ｂの脇側下辺とバック布１３との間に取り付け、バージスラインに沿って左右カップ部１１の下部から脇側端まで覆っている。土台布１２とバック布１３とは肌側にテープ布２３を介在させて縫着している。
【００２９】
前記バック布１３は左右カップ部１１と同一の伸縮性編地で形成しており、開閉部を設けていない一枚布である。土台布１２の左右脇側端縁１２ｃとバック布１３の左右脇側端縁１３ａとは肌側に配置したテープ布２３と介して縫着し、バック布１３の下辺１３ｂは土台布１２の下辺１２ａと連続させ、かつ、バック布１３と土台布１２の下辺１２ａ、１３ｂの内側にストレッチテープ２４を縫着している。
該バック布１３の上辺１３ｅは、左右両側を左右のストラップ１４との連結部１３ｄとし、その間を浅く湾曲した逆Ｕ字形状とし、ストレッチテープ１３ｆを縫着している。
【００３０】
各左右カップ部１１Ａ、１１Ｂの上辺１１ｃに連続する脇側の上縁１１ｍに左右のストラップ１４の一端を縫着し、他端を前記バック布１３の上辺の連結部１３ｄと縫着している。ストラップ１４は略５ｃｍ幅の幅広のストレッチレーステープからなり、本実施形態では土台布１２と同一素材を用いている。
【００３１】
ストラップ１４の腕側の外側端縁１４ａと、左右カップ部１１の表カップ部１１ｂの脇側辺Ｌ３と、土台布１２の脇側上部端縁１２ｄとバック布１３の脇回り端縁１３ｅはそれぞれ連続し、脇側の開口部を形成している。該開口部の端縁に沿ってストレッチテープ２５を縫着している。
【００３２】
前記のように、ブラジャー１０は、その全構成素材である左右カップ部１１と、土台布１２と、バック布１３と、左右ストラップ１４は全て伸縮性素材としている。
【００３３】
前記構成からなるブラジャー１０は、左右カップ部１１（１１Ａ、１１Ｂ）をそれぞれ一枚の伸縮性編地を上辺１１ｃで折り返して形成し、折り返されたカップ部の上辺１１ｃには端縁テープ材を取り付けず、縫着部を設けないワサの状態としているため、肌当たりが良く、かつ、カップ部１１と共に伸縮し、カップ部１１の上辺で伸び止めが生じない。また、カップ部１１の下辺のバージスラインに沿った部分にはワイヤーを取り付けていないため、締め付け感がなく、肌当たりが良くなる。
【００３４】
また、肌側の裏カップ部１１ａと表面側の表カップ部１１ｂを一枚の伸縮性編地から形成し、カップ部を立体的に膨出させるためのダーツ部分以外は縫着していないため、カップ部を伸縮性編地の伸度で伸ばすことができる。このため、産前・産後のバストのボリュームが変化しても対応することができ、其の際、カップ部１１の上辺１１ｃも変化に追従すると共にバストから浮き上がることなく、肌当たり良く密着させることができる。
かつ、産前・産後用に限らず、バストサイズが異なっても、左右のバストサイズに差があっても、バストに対するフィット感を損なうことなく対応することができる。
さらに、ソフトでありリラックスした着用感を得ることができるため、中高年齢者に対しても好適なブラジャーとなる。
さらにまた、左右カップ部１１は一枚の編地で形成されているため、裏カップ部１１ａと表カップ部１１ｂで伸縮性が同じとなり、洗濯時に型崩れしにくい利点も有する。
【００３５】
図４に、本発明の第２実施形態のブラジャーを示す。
前記第１実施形態では左右カップ部１１Ａ、１１Ｂを別個に裁断して胸部中央部で連結しているが、第２実施形態のブラジャーでは左右カップ部１１Ａ、１１Ｂを連続した一枚の伸縮性編地から形成している。
この一枚布からなる左右カップ部１１は、第１実施形態と同様に、肌側の裏カップ部１１ａと表面側の表カップ部１１ｂとを上辺１１ｃで折り返し、表カップ部１１ｂと裏カップ部１１ａを２枚重ねとし、表カップ部１１ｂの下辺Ｌ５と裏カップ部１１ａの下辺Ｌ６とを縫着している。
【００３６】
第２実施形態のブラジャーでは、胸部中央位置での縫着部を設けていない代わりに、胸部中央位置にギャザーを設け、胸部中央位置を胸部に当接させるように窪ませると共に、左右カップ部１１Ａ、１１Ｂを膨出させて、左右のバストにフィットするようにしている。
なお、他の構成および作用効果は第１実施形態と同様のため、同一の符号を付して説明を省略する。
【００３７】
図５に、本発明の第３実施形態を示す。
第３実施形態は、バック布１３を左右分割したバック布１３Ａ、１３Ｂから形成し、これらバック布１３Ａと１３Ｂの分割端にホック１３ｆを取り付けて、後中央で開閉するタイプとしている。
他の構成および作用効果は第１実施形態と同様であるため、説明を省略する。
【００３８】
図６に、本発明の第４実施形態を示す。
第４実施形態は、胸部中央で開閉するフロント開閉タイプとしている。
左カップ部１１Ａと右カップ部１１Ｂは胸部中央位置で連結せずに分離し、右カップ部１１Ｂと左カップ部１１Ａの前辺に夫々雌雄止具３１、３２を取り付けている。
土台布１２Ａは右カップ部１１Ｂの下辺とバック布１３との間に取り付けると共に、土台布１２Ｂ左カップ部１１Ａの下辺とバック布１３との間に取り付けている。
なお、他の構成および作用効果は第１実施形態と同様のため、同一の符号を付して説明を省略する。
【００３９】
前記第１〜第４実施形態のカップ部は、いずれもブラジャーからなるが、ブラジャーに限定されず、ブラスリップのカップ部にも適用できる。
【図面の簡単な説明】
【００４０】
【図１】第１実施形態のブラジャーのフロント側から見た斜視図である。
【図２】前記ブラジャーのフロント側の肌側を示す図面である。
【図３】カップ部の素材の展開図である。
【図４】第２実施形態のブラジャーの裏側平面図である。
【図５】第３実施形態のブラジャーの裏側平面図である。
【図６】第４実施形態のブラジャーの斜視図である。
【図７】従来例を示す図である。
【図８】従来例を示す図である。
【符号の説明】
【００４１】
１０  ブラジャー
１１  左右カップ部
１１Ａ  左カップ部
１１Ｂ  右カップ部
１１ａ  裏カップ部
１１ｂ  表カップ部
１２  土台布
１３  バック布
１４  左右ストラップ
２０  パット
【図１】
2009120978.tif 000003
【図２】
2009120978.tif 000004
【図３】
2009120978.tif 000005
【図４】
2009120978.tif 000006
【図５】
2009120978.tif 000007
【図６】
2009120978.tif 000008
【図７】
2009120978.tif 000009
【図８】
2009120978.tif 000010